(57)【要約】【課題】  立体映像の輝度が減少される現状を解消して鮮明な映像を提供することができる。【解決手段】  ディスプレイ装置及びその駆動方法において、立体映像のための左眼映像及び右眼映像が入力される映像信号を処理する映像処理部と；映像処理部により処理される映像信号に基づいて映像を表示するディスプレイ部と；ディスプレイ部に光を供給するバックライト部と；左眼映像及び右眼映像にそれぞれ対応して交代で開閉される左側シャッター部及び右側シャッター部を備えて、ディスプレイ部に表示される映像を見るためのメガネ部の左側シャッター部及び右側シャッター部の開閉が転移される間に対応する左眼映像と右眼映像の間のスキャン区間のマージンが発生するようにディスプレイ部及びバックライト部の中で少なくとも一つを制御する制御部と；を含むことを特徴とする。【選択図】      図２
2011053648.tif 000002
【特許請求の範囲】
【請求項１】
立体映像のための左眼映像及び右眼映像にそれぞれ対応して交代で開閉される左側シャッター部及び右側シャッター部を備えるメガネ部を利用するディスプレイ装置において、
前記左眼映像及び前記右眼映像が入力される映像信号を処理する映像処理部と；
前記映像処理部によって処理される前記映像信号に基づいて映像を表示するディスプレイ部と；
前記ディスプレイ部に光を供給するバックライト部と；
前記左側シャッター部及び右側シャッター部の開閉が転移される間に対応する前記左眼映像と前記右眼映像の間のスキャン区間のマージンが発生するように前記ディスプレイ部及び前記バックライト部の中で少なくとも一つを制御する制御部と；
を含むことを特徴とするディスプレイ装置。
【請求項２】
前記スキャン区間のマージンは、前記左側シャッター部及び前記右側シャッター部の開閉が転位される不完全開放区間と一致することを特徴とする請求項１に記載のディスプレイ装置。
【請求項３】
前記スキャン区間の始点は固定し、前記スキャン区間の終点を早めることにより前記スキャン区間のマージンを発生させることを特徴とする請求項１に記載のディスプレイ装置。
【請求項４】
前記制御部は、画面の一部領域がスキャン方向に順次にスキャニングされるように前記バックライト部を制御することを特徴とする請求項１に記載のディスプレイ装置。
【請求項５】
前記ディスプレイ部は、ＬＣＤパネルを含み、前記制御部は、前記ＬＣＤパネルに対するデータスキャン時間が前記スキャン区間のマージンに対応するように前記ＬＣＤパネルを制御することを特徴とする請求項１に記載のディスプレイ装置。
【請求項６】
前記バックライト部は、炭素ナノチューブ（ＣＮＴ）を利用することを特徴とする請求項１に記載のディスプレイ装置。
【請求項７】
前記バックライト部は、ＯＬＥＤを利用することを特徴とする請求項１に記載のディスプレイ装置。
【請求項８】
前記スキャン区間は、データスキャン区間であることを特徴とする請求項１に記載のディスプレイ装置。
【請求項９】
前記スキャン区間は、バックライトスキャン区間であることを特徴とする請求項１に記載のディスプレイ装置。
【請求項１０】
前記バックライト部のスキャン時間は、前記ディスプレイ部のスキャン時間より短いことを特徴とする請求項１に記載のディスプレイ装置。
【請求項１１】
ディスプレイ装置の駆動方法において、
立体映像のための左眼映像及び右眼映像が入力される映像信号を処理する段階と；
前記左眼映像及び前記右眼映像にそれぞれ対応して交代で開閉される左側シャッター部及び右側シャッター部を備えて、画面に表示される映像を見るためのメガネ部の前記左側シャッター部及び前記右側シャッター部の開閉が転移される間に対応する前記左眼映像と前記右眼映像の間のスキャン区間のマージンが発生するようにデータースキャン時間及びバックライトスキャン時間の中で少なくとも一つを制御する段階と；
を含むことを特徴とするディスプレイ装置の駆動方法。
【請求項１２】
前記スキャン区間のマージンは、前記左側シャッター部及び前記右側シャッター部の開閉が転位される不完全開放区間と一致することを特徴とする請求項１１に記載のディスプレイ装置の駆動方法。
【請求項１３】
前記スキャン区間の始点は固定し、前記スキャン区間の終点を早めることにより前記スキャン区間のマージンを発生させることを特徴とする請求項１１に記載のディスプレイ装置の駆動方法。
【請求項１４】
前記画面に表示される映像は、前記画面の一部領域がスキャン方向に順次にスキャニングされて表示されることを特徴とする請求項１１に記載のディスプレイ装置の駆動方法。
【請求項１５】
前記ディスプレイ装置は、ＬＣＤパネルを含み、前記ＬＣＤパネルに対するデータスキャン時間が前記スキャン区間のマージンに対応することを特徴とする請求項１１に記載のディスプレイ装置の駆動方法。
【発明の詳細な説明】
【技術分野】
【０００１】
本発明は、ディスプレイ装置及びその駆動方法に係り、さらに詳しくは、立体映像の輝度が減少されることを防止して、鮮明な映像を提供するディスプレイ装置及びその駆動方法に関する。
【背景技術】
【０００２】
ＴＶ等のようなディスプレイ装置によって表示される３次元立体映像は、一般に近距離で立体感を認識するようにする最大の要因である両眼視差（Binocular  Parallax）を利用して物体の立体感を感じるようにする。立体映像は、シャッター方式の３Ｄメガネを利用して見られるのに、画面には左眼映像及び右眼映像を交代で速く表示し、左眼映像及び右眼映像と同期されるようにシャッター方式の３Ｄメガネを開閉させることにより立体映像を具現する。即ち、画面に左眼映像が表示される時には３Ｄメガネの左眼シャッターが開放され右眼シャッターは閉鎖され、画面に右眼映像が表示される時には３Ｄメガネの右眼シャッターが開放され左眼シャッターは閉鎖される。このようなシャッター方式の３Ｄメガネは、同期信号を受信する場合、赤外線信号を利用して同期信号を受信する。
【０００３】
一方、シャッター方式の３Ｄメガネが液晶を利用する場合、同期信号に応答して液晶が動作するためには応答時間が必要である。図１は、液晶を利用するシャッター方式の３Ｄメガネの応答時間を示す図であり、図１に示すように、左眼シャッター又は右眼シャッターが開放される区間は、応答時間を含む不完全開放区間ｂ、ｂ’及び完全開放区間ａで構成される。ユーザーは、開放区間ａ、ｂ、ｂ’で画面に表示される立体映像を見ることができるのに、完全開放区間ａの場合、鮮明な立体映像を見ることができるが、不完全開放区間ｂ、ｂ’の場合、左眼シャッター又は右シャッターが開放又は閉鎖されている状況であるので、立体映像の輝度が減少される問題が発生する。
【発明の概要】
【発明が解決しようとする課題】
【０００４】
従って、本発明の目的は、鮮明な立体映像を提供するため、データスキャン時間又はバックライトスキャン時間を短縮して、不完全開放区間で立体映像の輝度が減少されることを防止するディスプレイ装置及びその駆動方法を提供することである。
【課題を解決するための手段】
【０００５】
本発明の一実施形態によるディスプレイ装置は、立体映像のための左眼映像及び右眼映像が入力される映像信号を処理する映像処理部と；映像処理部によって処理される映像信号に基づいて映像を表示するディスプレイ部と；ディスプレイ部に光を供給するバックライト部と；左眼映像及び右眼映像にそれぞれ対応して交代で開閉される左側シャッター部及び右側シャッター部を備えてディスプレイ部により表示される映像を見るためのメガネ部の左側シャッター部及び右側シャッター部の開閉が転移される間に対応する左眼映像と右眼映像の間のスキャン区間のマージンが発生するようにディスプレイ部及びバックライト部の中で少なくとも一つを制御する制御部と；を含むことによって達成される。
【０００６】
ここで、スキャン区間のマージンは、前記メガネ部の前記左側シャッター部及び前記右側シャッター部の開閉が転位される不完全開放区間と一致することができるし、スキャン区間の始点は固定し、スキャン区間の終点を早めることによりスキャン区間のマージンを発生させることができる。
【０００７】
また、制御部は、画面の一部領域がスキャン方向に順次にスキャニングされるようにバックライト部を制御することができるし、ディスプレイ部はＬＣＤパネルを含み、制御部は、ＬＣＤパネルに対するデータスキャン速度がスキャン区間のマージンに対応するようにＬＣＤパネルを制御することができる。
【０００８】
また、制御部は、バックライト部のスキャン速度がディスプレイ部のデータスキャン速度より小さく制御することができる。また、バックライト部は、ＣＮＴまたはＯＬＥＤを利用することができるし、スキャン区間は、データスキャン区間またはバックライトスキャン区間であることができる。
【０００９】
また、本発明の他の実施形態によるディスプレイ装置は、立体映像のための左眼映像及び右眼映像が入力される映像信号を処理する映像処理部と；映像処理部により処理される映像信号に基づいて映像を表示するＯＬＥＤパネル部と；左眼映像及び右眼映像にそれぞれ対応して交代で開閉される左側シャッター部及び右側シャッター部を備えて画面に表示される立体映像を見るためのメガネ部の左側シャッター部及び右側シャッター部の開閉が転移される間に対応する左眼映像と右眼映像の間のスキャン区間のマージンが発生するようにＯＬＥＤパネル部を制御する制御部と；を含むことによって達成される。
【発明の効果】
【００１０】
以上説明のように、本発明によると、立体映像の輝度が減少されることを防止することができるので鮮明な映像を提供することができる。
【００１１】
また、データスキャン時間を短縮することによって、液晶の応答による３Ｄメガネの応答速度時間を十分に確保することができる。
【図面の簡単な説明】
【００１２】
【図１】液晶を利用するシャッター方式の３Ｄメガネの応答時間を示す図である。
【図２】本発明の一実施形態によるディスプレイ装置の構成を示す図である。
【図３】本発明の一実施形態によるディスプレイ装置の動作を説明するための図である。
【図４】本発明の他の実施形態によるディスプレイ装置の動作を説明するための図である。
【図５】本発明の他の実施形態によるディスプレイ装置の動作を説明するための図である。
【図６】本発明の他の実施形態によるディスプレイ装置の構成を示す図である。
【図７】本発明の他の実施形態によるディスプレイ装置の動作を説明するための図である。
【図８】本発明の一実施形態によるディスプレイ装置の動作を示すためのフローチャートである。
【図９】本発明の他の実施形態によるディスプレイ装置の動作を示すためのフローチャートである。
【発明を実施するための形態】
【００１３】
以下、添付図面を参照して本発明の実施形態に対して本発明の属する技術分野で通常の知識を有する人なら容易に実施できるように詳細に説明する。本発明は色々な形態で具現されることができるし、ここで説明する実施形態に限定されない。本発明を明確に説明するために、説明に関しない部分は省略し、明細書の全体を通じて同一または類似な構成要素に対しては同一な参照符号を付ける。
【００１４】
図２は、本発明の一実施形態によるディスプレイ装置１００の構成を示す図である。図２に示すように、本発明の一実施形態によるディスプレイ装置１００は、映像処理部２００、ディスプレイ部２１０、バックライト部２５０、制御部２４０を含む。ディスプレイ部２１０は、ディスプレイ駆動部２２０とディスプレイ２３０を含み、バックライト部２５０は光源駆動部２６０と光源部２７０を含む。
【００１５】
映像処理部２００は、入力される左眼映像及び右眼映像を含む立体映像をディスプレイ２３０に表示することができるように処理し、ディスプレイ駆動部２２０は、映像処理部２００で処理された立体映像をディスプレイ２３０に表示することができるように駆動する。バックライト部２５０の光源部２７０は、ディスプレイ２３０に光を提供し、光源駆動部２６０は光源部２７０を駆動する。制御部２４０は、ディスプレイ駆動部２２０、光源駆動部２６０を制御してデータスキャン時間又はバックライトスキャン時間を制御し、メガネ部２９０の左側シャッター部２９２及び右側シャッター部２９４がディスプレイ２３０に表示される左眼映像及び右眼映像に対応して駆動されるように制御する。本発明の一実施形態によるディスプレイ装置１００に表示される立体映像はメガネ部２９０を利用して見られるのに、メガネ部２９０は液晶を利用したシャッター方式の３Ｄメガネとして、左側シャッター部２９２及び右側シャッター部２９４を含み、ディスプレイ２３０に表示される左眼映像及び右眼映像に対応して左側シャッター部２９２及び右側シャッター部２９４が開閉される。
【００１６】
また、本発明の一実施形態によるディスプレイ装置１００のバックライト部２５０は、インパルス（Ｉｍｐｕｌｓｅ）駆動をする。即ち、入力された立体映像が映像処理部２００で処理された後、ディスプレイ駆動部２２０でディスプレイ２３０を駆動してデータをスキャン（走査）すると、光源部２７０は、立体映像がディスプレイ２３０に順次に表示されるようにディスプレイ２３０の一部領域別に光を供給する。この時、光源部２７０は全体がオン状態であることではなく、一部がオン状態で、その以外はオフ状態である。このような方式でバックライト部２５０を駆動するため光源部２７０は、発光ダイオード（Ｌｉｇｈｔ  Ｅｍｉｔｔｉｎｇ  Ｄｉｏｄｅ）、炭素ナノチューブ（ＣＮＴ）、ＯＬＥＤ（Ｏｒｇａｎｉｃ  Ｌｉｇｈｔ  Ｄｉｏｄｅｓ）で構成されることができるし、光源駆動部２６０は、一部領域別に構成して、各領域が独立的に動作することができるように複数の多重駆動部に構成することができる。バックライト部２５０がインパルス駆動をすると、画面の残像現状を防止することができるので、品質が向上された映像を提供することができる。
【００１７】
図３は、本発明の一実施形態によるディスプレイ装置１００の動作を説明するための図である。ディスプレイ装置１００が１２０[ｈｚ]で駆動される場合、入力される立体映像を構成する多数のフレームの中で一つのフレームが８.３[ｍｓ]時間表示される。したがって、一つのフレームを表示するためのデータスキャン時間は８.３[ｍｓ]であるのに、垂直帰線区間（ＶＢＩ：Ｖｅｒｔｉｃａｌ  Ｂｌａｎｋｉｎｇ  Ｉｎｔｅｒｖａｌ）である送信での休止時間も含まれる。データスキャンが行われれば、バックライトスキャンが行われ、ユーザーはメガネ部２８０を通じてディスプレイ２３０に表示される立体映像を視聴する。この時、ユーザーは、メガネ部２８０の左側シャッター部２９２及び右側シャッター部２９４の転移区間である不完全開放区間ｂ、ｂ’でもディスプレイ２３０に表示される立体映像を視聴する。一方、不完全開放区間ｂ、ｂ’では立体映像の輝度が減少するのに、ユーザーが不完全開放区間ｂ、ｂ’でディスプレイ２３０に表示される立体映像を見る時間が短ければ短いほど鮮明な映像を視聴することができる。したがって、本発明の一実施形態によるディスプレイ装置１００は、不完全開放区間ｂ、ｂ’で立体映像を視聴する時間を短縮するため、制御部２４０が光源駆動部２６０を制御してバックライトスキャンを３１０、３２０時間を短縮する。図３に示すように、本発明の一実施形態によるディスプレイ装置１００は、データスキャン３００時間は変化無く、バックライトスキャン３１０、３２０時間は短縮して、不完全開放区間ｂでバックライトスキャン３１０、３２０が終了されるようにする。図３で実線は変更前のバックライトスキャン３１０を示し、点線は変更後、即ちスキャン時間が短縮された場合のバックライトスキャン３２０を示す。このため、制御部２４０は光源駆動部２６０を制御してバックライトスキャン３１０、３２０がメガネ部２８０の左側シャッター部２９２または右側シャッター部２９４が完全に開放された状態で始まって不完全開放区間ｂで終了される。
【００１８】
例えば、１２０[ｈｚ]で駆動される場合、立体映像を構成する多数のフレームの中で一つのフレーム対するデータスキャン３００は、８.３[ｍｓ]時間の間行われる。一方、バックライトスキャン３２０は、不完全開放区間が１[ｍｓ]くらいなるので、完全開放区間ａから不完全開放区間ｂが終了される時点まで７.３[ｍｓ]時間より短い時間の間スキャンされるようにする。ここで、立体映像を構成する一つのフレーム対するバックライトスキャン３２０は完全開放区間ａで始まるので完全開放区間ａが始まる時点前の不完全開放区間ｂ’は現在に表示されるフレームより前に表示される他のフレームが表示される区間であるので除く。即ち、本発明の一実施形態によるディスプレイ装置１００は、左眼映像と右眼映像が交代で表示され、現在表示されるフレームは完全開放区間ａでバックライトスキャン３２０が始まるので、現在左眼映像に対するフレームが表示されていれば、不完全開放区間ｂ’は右眼映像に対するフレームが表示される区間に該当する。このような場合、前に入力されたフレームを表示するためのバックライトスキャンの終了時点と現在に入力されるフレームを表示するためのバックライトスキャン３２０の始り時点、即ち左眼映像と右眼映像を表示するためのバックライトスキャン区間の間のマージン（間隔）がメガネ部２９０の左側シャッター部２９２及び右側シャッター部２９４の開閉が転移される間である不完全開放区間ｂで発生する。本発明の一実施形態によるディスプレイ装置１００は不完全開放区間ｂでバックライトスキャン３２０が行われるが、そのスキャン時間が短い。このような方式のバックライトスキャン３２０を行うため制御部２４０はディスプレイ２３０の上部から下部に行くほどバックライトスキャン３２０の速度が速く行われるように光源駆動部２６０を制御することによりバックライトスキャン３２０時間を短縮することができる。
【００１９】
図４は本発明の他の実施形態によるディスプレイ装置１００の動作を説明するための図である。図４に示すように、データスキャン４００の時間は変わらず、バックライトスキャン４１０、４２０時間だけを短縮する。図４で実線は変更前のバックライトスキャン４１０を示し、点線は変更後バックライトスキャン４２０を示す。画面の輝度が減少する領域はメガネ部２８０の左側シャッター部２９２及び右側シャッター部２９４の転移区間である不完全開放区間ｂで発生するので、不完全開放区間ｂではバックライトスキャン４２０が行われないようにする。このため、制御部２４０は完全開放区間ａだけでバックライトスキャン４２０が行われるように光源駆動部２６０を制御する。このような場合、１２０[ｈｚ]で駆動されれば、完全開放区間ａが存在する６.３[ｍｓ]時間の間バックライト部２５０が駆動される。本発明の他の実施形態によるディスプレイ装置１００は不完全開放区間ｂで一部バックライトスキャンが行われる場合よりもバックライトスキャン時間がさらに短縮されるのでディスプレイ２３０の上部から下部に行くほど不完全開放区間ｂでバックライトスキャン４２０が行われる場合よりもバックライトスキャン４２０の速度をさらに早くして完全開放区間ａだけでバックライトスキャン４２０が行われるようにする。このような本発明の他の実施形態によるディスプレイ装置１００はバックライトスキャン４２０が完全開放区間ａだけで行われるので不完全開放区間ｂでバックライトスキャンが行われることによって発生する輝度の減少を防止することができるので鮮明な立体映像を提供することができる。また、前に入力されたフレームを表示するためのバックライトスキャン４２０の終了時点と現在に入力されるフレームを表示するためのバックライトスキャンの始り時点はメガネ部２９０の左側シャッター部２９２及び右側シャッター部２９４の開閉が転移される区間、即ち不完全開放区間ｂほどマージン（間隔）が発生する。
【００２０】
図５は本発明の他の実施形態によるディスプレイ装置１００の動作を説明するための図である。図５に示すように、本発明の他の実施形態によるディスプレイ装置１００は、データスキャン５００，５１０時間を短縮することにより、バックライトスキャン５２０、５３０時間を短縮する。図５で、実線は変更前のデータスキャン５００、バックライトスキャン５２０を示し、点線は変更後データスキャン５１０、バックライトスキャン５３０を示す。制御部２４０は、光源駆動部２６０を制御してバックライトスキャン５２０、５３０がデータスキャン５００、５１０に対応されるようにデータスキャン５００、５１０の発生時点を基準として一定の時間的な間隔を置いてバックライトスキャン５２０、５３０が行われるようにする。したがって、データスキャン５００、５１０時間が短縮されれば、バックライトスキャン５２０、５３０時間が短縮されることができる。例えば、制御部２４０は、ディスプレイ駆動部２２０を制御して、バックライトスキャン５３０が不完全開放区間ｂで一部行われたり、完全開放区間ａだけで行われるようにするためディスプレイ２３０の上部から下部に行くほどデータスキャン５１０の速度を速くする。光源駆動部２６０はデータスキャン５１０に対応するように光源部２７０を駆動するので、データスキャン５１０時間が短縮されれば、バックライトスキャン５３０時間も短縮される。このような本発明の他の実施形態によるディスプレイ装置１００は、バックライトスキャン５３０時間が短縮されるだけでなく、データスキャン５１０時間も短縮されて、垂直帰線区間（ＶＢＩ）であるデータ送信での休止期が長引く。したがって、メガネ部２９０の左側シャッター部２９２及び右側シャッター部２９４の液晶の応答によるメガネ部２９０の応答速度時間を十分に確保することができるので鮮明な映像を提供することができる。
【００２１】
図６は本発明の他の実施形態によるディスプレイ装置１００の構成を示す図である。図６に示すように、本発明の他の実施形態によるディスプレイ装置１００は、映像処理部６００、ＯＬＥＤパネル部６１０、制御部６４０を含む。ＯＬＥＤパネル部６１０は、ＯＬＥＤパネル駆動部６２０とディスプレイ６３０を含む。映像処理部６００は、入力される左眼映像及び右眼映像を含む立体映像をディスプレイ６３０に表示できるように処理し、ＯＬＥＤパネル部６１０は映像処理部６００で処理された立体映像をディスプレイ６３０に表示できるように駆動する。
【００２２】
制御部２４０は、ＯＬＥＤパネル駆動部６２０を制御してデータスキャン時間を制御し、メガネ部６５０の左側シャッター部６６０及び右側シャッター部６７０がディスプレイ６３０に表示される左眼映像及び右眼映像に対応して駆動されるように制御する。
【００２３】
ＯＬＥＤ（Ｏｒｇａｎｉｃ  Ｌｉｇｈｔ  Ｅｍｉｔｔｉｎｇ  Ｄｉｏｄｅｓ）は、蛍光性有機化合物に電流が流れると光を出す電界発光現状を利用して自ら光を出す自体発光形有機化合物を言う。このようなＯＬＥＤピクセルは、直接に光を出すので光の表現の範囲がＬＣＤよりさらに大きく、バックライトが必要ではない。したがって、一般ＬＣＤパネルを利用するディスプレイ装置と異なりに映像処理部６００で処理された立体映像に対するデータスキャンだけで立体映像をディスプレイ６３０に表示することができる。
【００２４】
図７は本発明の他の実施形態によるディスプレイ装置１００の動作を説明するための図である。図７に示すように、画面の輝度が減少する不完全開放区間ｂではデータスキャンが行われないようにデータスキャン７００、７１０時間を短縮する。実線は変更前のデータスキャン７００を示し、点線は変更後データスキャン７１０を示す。このため制御部６４０は、完全開放区間ａだけでデータスキャン７１０が行われるようにＯＬＥＤパネル駆動部６２０を制御する。
【００２５】
図８は本発明の一実施形態によるディスプレイ装置１００の動作を示すフローチャートである。図８に示すように、左眼映像及び右眼映像を含む立体映像が入力（８００）されると、映像処理部２００は入力映像をディスプレイ２３０に表示されるように処理する（８１０）。その後、左眼映像及び右眼映像にそれぞれ対応して交代で開閉される左側シャッター部２９２及び右側シャッター部２９４を備えて、ディスプレイ２３０に表示される映像を見るためのメガネ部２９０の左側シャッター部２９２及び右側シャッター部２９４の開閉が転移される間に対応する左眼映像と右眼映像との間のスキャン区間のマージン（間隔）が発生するように制御部２４０がディスプレイ部２１０またはバックライト部２５０を制御する（８２０）。即ち、制御部２４０が光源駆動部２６０を制御してバックライトスキャン時間を短縮したり、ディスプレイ駆動部２２０を制御してデータスキャン時間を短縮し、光源駆動部２６０を制御してバックライトスキャンがデータスキャンに対応するようにしてバックライトスキャン時間を短縮する。その後、ディスプレイ２３０に映像が表示されると、ユーザーはメガネ部２９０を通じて表示された映像を視聴（８３０）する。
【００２６】
図９は本発明の他の実施形態によるディスプレイ装置１００の動作を示すフローチャートである。図９に示すように、左眼映像及び右眼映像を含む立体映像が入力（９００）されると、映像処理部６００は入力映像をディスプレイ６３０に表示されるように処理する９１０。その後、左眼映像及び右眼映像にそれぞれ対応して交代で開閉される左側シャッター部６６０及び右側シャッター部６７０を備えて、ディスプレイ６３０に表示される映像を見るためのメガネ部６５０の左側シャッター部６６０及び右側シャッター部６７０の開閉が転移される間に対応する左眼映像と右眼映像との間のスキャン区間のマージン（間隔）が発生するように制御部６４０がＯＬＥＤパネル駆動部６２０を制御する（９２０）。即ち、制御部６４０がＯＬＥＤパネル駆動部６２０を制御してデータスキャン時間を短縮する。その後、ディスプレイ６３０に映像が表示されると、ユーザーはメガネ部６５０を通じて表示された映像を視聴（９３０）する。
【００２７】
以上、多様な実施形態を通じて本発明に対して図示し説明したが、本発明はこれに限定されず、本発明の属する技術分野の通常の知識を有する人なら本発明の原則や精神に外れなく本発明の実施形態を変形し得ることを分かることができる。発明の範囲は、特許請求の範囲とその均等物によって定められる。
【符号の説明】
【００２８】
２００  映像処理部
２１０  ディスプレイ部
２２０  ディスプレイ駆動部
２３０  ディスプレイ
２４０  制御部
２５０  バックライト部
２６０  光源駆動部
２７０  光源部
２９０  メガネ部
２９２  左側シャッター部
２９４  右側シャッター部
【図１】
2011053648.tif 000003
【図２】
2011053648.tif 000004
【図３】
2011053648.tif 000005
【図４】
2011053648.tif 000006
【図５】
2011053648.tif 000007
【図６】
2011053648.tif 000008
【図７】
2011053648.tif 000009
【図８】
2011053648.tif 000010
【図９】
2011053648.tif 000011